(57)【特許請求の範囲】
【請求項１】
車体の前部に位置して前後方向に延びた左右のフロントサイドフレームと、これらの左右のフロントサイドフレームの前部に配置されたフロントバルクヘッドとを含む車体前部構造において、
前記左右のフロントサイドフレームには、前端に左右のサイドフレームフランジが設けられ、
少なくとも前記フロントバルクヘッドを含む前部ユニットと、この前部ユニットを前記左右のサイドフレームフランジに固定するための左右の固定部材とを有し、
これらの左右の固定部材は、前記前部ユニットと前記左右のサイドフレームフランジとのいずれか一方に対してはボルトを介して固定されているとともに、いずれか他方に対しては溶接部を介して固定されており、
前記左右の固定部材は、前記左右のサイドフレームフランジに重ね合わされるプレートによって構成され、
前記フロントバルクヘッドは、車幅方向両端に位置して上下に延びる左右のバルクヘッドサイドメンバを有し、
これらの左右のバルクヘッドサイドメンバから車幅方向外方へ延びる左右のバルクヘッドフランジが設けられ、
前記左右のプレートは、前記左右のバルクヘッドフランジに対しては前記ボルトを介して固定されており、前記左右のサイドフレームフランジに対しては溶接部を介して固定されていることを特徴とする車体前部構造。
【請求項２】
前記左右のバルクヘッドフランジは、前記左右のバルクヘッドサイドメンバに一体に成形され、
前記左右のバルクヘッドサイドメンバは、前記左右のバルクヘッドフランジを含む全体を、平面視クランク状断面に成形され、
前記左右のプレート及び前記左右のサイドフレームフランジは、前記クランク形状に対応するように、平面視でクランク状断面に形成され、
前記左右のバルクヘッドサイドメンバの背面と前記左右のバルクヘッドフランジの背面とは、前記左右のプレートを介して前記サイドフレームフランジに重ねられ、且つ締結されていることを特徴とする請求項１記載の車体前部構造。
【請求項３】
前記左右のバルクヘッドフランジは、背面に左右のプレートが重ならない非重ね部を有し、
前記左右のバルクヘッドフランジのなかの、前記非重ね部の位置には、バンパビームがボルトを介して固定されていることを特徴とする請求項１記載の車体前部構造。
【請求項４】
前記フロントバルクヘッドは、車幅方向両端に位置して上下に延びる左右のバルクヘッドサイドメンバを有し、
前記左右の固定部材は、車両前後方向に延びて、後端部に左右の固定部側フランジが設けられ、
前記左右の固定部材の車幅方向の側面部は、前記左右のバルクヘッドサイドメンバの側面部に溶接部を介して固定されており、
前記左右の固定部側フランジは、前記左右のサイドフレームフランジにボルトを介して固定されていることを特徴とする請求項１記載の車体前部構造。
【請求項５】
前記左右のバルクヘッドサイドメンバは、前記左右の固定部側フランジの前面に対面する左右の縦壁部を有した部材であり、
これらの左右の縦壁部には、正面視で前記左右の固定側フランジと前記左右のサイドフレームフランジが重なる部分に、ボルトによって締結するための左右の作業穴が設けられていることを特徴とする請求項４記載の車体前部構造。
【請求項６】
請求項１記載の車体前部構造の組立方法であって、
前記前部ユニットと、前記左右のフロントサイドフレームと、前記左右のサイドフレームフランジと、前記固定部材とを準備する準備工程と、
前記前部ユニットと前記左右のサイドフレームフランジとのいずれか一方の部材に対して、前記左右の固定部材を、ボルトによって仮止めするボルト仮止め工程と、
前記前部ユニットと前記左右のサイドフレームフランジとのいずれか他方の部材に対して、前記左右の固定部材を、溶接する溶接工程と、
仮止めした前記ボルトを外して、前記左右のサイドフレームフランジから前記前部ユニットを取り外す前部ユニット取り外し工程と、
前記左右のフロントサイドフレームの前方から、これらの左右のフロントサイドフレーム間に部品を入れて組み付ける部品組み付け工程と、
前記一方の部材に対して、前記固定部材を前記ボルトによって再び取り付ける前部ユニット再取付工程とからなることを特徴とする車体前部構造の組立方法。
【請求項７】
前記準備工程で準備する前記左右の固定部材は、前記左右のサイドフレームフランジに重ね合わされるプレートによって構成されており、
前記準備工程で準備する前記フロントバルクヘッドは、車幅方向両端に位置して上下に延びる左右のバルクヘッドサイドメンバを有し、これらの左右のバルクヘッドサイドメンバから車幅方向外方へ延びる左右のバルクヘッドフランジが設けられており、
前記ボルト仮止め工程は、前記左右のプレートを、前記左右のバルクヘッドフランジに重ねて前記ボルトによって締結し、
前記溶接工程は、前記左右のプレートを前記左右のサイドフレームフランジに溶接し、
前記前部ユニット取り外し工程は、前記左右のバルクヘッドフランジを、前記左右のプレートから取り外し、
前記前部ユニット再取付工程は、前記左右のバルクヘッドフランジを、前記左右のプレートに再び取り付けることを特徴とする請求項６記載の車体前部構造の組立方法。
【請求項８】
前記準備工程で準備する前記左右のバルクヘッドフランジには、背面に左右のプレートが重ならない非重ね部を有しており、
前記溶接工程の次には、前記左右のバルクヘッドフランジのなかの、前記非重ね部の位置に、バンパビームをボルトによって締結するバンパ締結工程を有することを特徴とする請求項７記載の車体前部構造の組立方法。
【請求項９】
前記準備工程で準備する前記左右の固定部材は、車両前後方向に延びて、後端部に左右の固定部側フランジが設けられ、前記フロントバルクヘッドは、車幅方向両端に位置して上下に延びる左右のバルクヘッドサイドメンバを有しており、
前記ボルト仮止め工程は、前記左右の固定部側フランジを、前記左右のサイドフレームフランジに前記ボルトによって締結し、
前記溶接工程は、前記左右の固定部材の車幅方向の側面部を前記左右のバルクヘッドサイドメンバの側面部に溶接し、
前記前部ユニット取り外し工程は、前記左右の固定部側フランジを、前記左右のサイドフレームフランジから取り外し、
前記前部ユニット再取付工程は、前記左右の固定部側フランジを、前記左右のサイドフレームフランジに再び取り付けることを特徴とする請求項６記載の車体前部構造の組立方法。
【発明の詳細な説明】
【技術分野】
【０００１】
本発明は、車体前部において、左右のフロントサイドフレームの前部のフロントバルクヘッドを取り付ける部分が改良された車体前部構造及びその組立方法に関する。
【背景技術】
【０００２】
一般的な乗用車等の車体の前部は、左右のフロントサイドフレームの前部に、フロントバルクヘッドが連結され、フロントバルクヘッド後方のエンジンルームに、エンジン及び補機類が配置されている。この構造では、エンジンを車体の下からエンジンルームに組み込み、補機類をエンジンルームの外からエンジンやエンジンルーム内に組み付ける必要があるため、作業者の負担が大きい。
【０００３】
これに対し、フロントバルクヘッドを左右のフロントサイドフレームに取り付ける前に、エンジン及び補機類をエンジンルームに組み込む構造が考えられる。このような車体前部構造に関しては、特許文献１によって知られている。
【０００４】
特許文献１で知られている車体前部構造は、前部ユニットが左右のフロントサイドフレームから分割される前部二分割形式を採用している。この構造では、左右のフロントサイドフレームの前部が開放された状態で、前方からエンジン及び補機類をエンジンルームに組み付け、その後にバンパ、フロントバルクヘッド等からなる前部ユニットを、左右のフロントサイドフレームの前部に連結する。特許文献１では、エンジン及び補機類をエンジンルームの前方から組み付けるため、エンジンや車体の上下の移動が少なくて済み、エンジンルームの外から補機類を組み付ける必要がないため、エンジン及び補機類の組み付けが容易になる。
【０００５】
このような車体前部構造では、生産性を高める上で、フロントサイドフレームに対する前部ユニットの組み付け性や組み付け精度を高めることが重要である。
【先行技術文献】
【特許文献】
【０００６】
【特許文献１】特公平７−１１５６５５号公報
【発明の概要】
【発明が解決しようとする課題】
【０００７】
本発明は、前部ユニットが左右のフロントサイドフレームから分割される前部二分割形式の車体前部構造及びその組立方法において、簡単な構造で前部ユニットの組み付け精度を向上させるとともに、車体の生産性を高めることができる技術を提供することを課題とする。
【課題を解決するための手段】
【０００８】
請求項１に係る発明は、車体の前部に位置して前後方向に延びた左右のフロントサイドフレームと、これらの左右のフロントサイドフレームの前部に配置されたフロントバルクヘッドとを含む車体前部構造において、前記左右のフロントサイドフレームには、前端に左右のサイドフレームフランジが設けられ、少なくとも前記フロントバルクヘッドを含む前部ユニットと、この前部ユニットを前記左右のサイドフレームフランジに固定するための左右の固定部材とを有し、これらの左右の固定部材は、前記前部ユニットと前記左右のサイドフレームフランジとのいずれか一方に対してはボルトを介して固定されているとともに、いずれか他方に対しては溶接部を介して固定されていることを特徴とする。
【０００９】
さらに、請求項１に記載のごとく、好ましくは、左右の固定部材は、左右のサイドフレームフランジに重ね合わされるプレートによって構成され、フロントバルクヘッドは、車幅方向両端に位置して上下に延びる左右のバルクヘッドサイドメンバを有し、これらの左右のバルクヘッドサイドメンバから車幅方向外方へ延びる左右のバルクヘッドフランジが設けられ、左右のプレートは、左右のバルクヘッドフランジに対してはボルトを介して固定されており、左右のサイドフレームフランジに対しては溶接部を介して固定されていることを特徴とする。
【００１０】
請求項２に記載のごとく、より好ましくは、左右のバルクヘッドフランジは、左右のバルクヘッドサイドメンバに一体に成形され、左右のバルクヘッドサイドメンバは、左右のバルクヘッドフランジを含む全体を、平面視クランク状断面に成形され、左右のプレート及び左右のサイドフレームフランジは、クランク形状に対応するように、平面視でクランク状断面に形成され、左右のバルクヘッドサイドメンバの背面と左右のバルクヘッドフランジの背面とは、左右のプレートを介してサイドフレームフランジに重ねられ、且つ締結されていることを特徴とする。
【００１１】
請求項３に記載のごとく、より好ましくは、左右のバルクヘッドフランジは、背面に左右のプレートが重ならない非重ね部を有し、左右のバルクヘッドフランジのなかの、非重ね部の位置には、バンパビームがボルトを介して固定されていることを特徴とする。
【００１２】
請求項４に記載のごとく、より好ましくは、フロントバルクヘッドは、車幅方向両端に位置して上下に延びる左右のバルクヘッドサイドメンバを有し、左右の固定部材は、車両前後方向に延びて、後端部に左右の固定部側フランジが設けられ、左右の固定部材の車幅方向の側面部は、左右のバルクヘッドサイドメンバの側面部に溶接部を介して固定されており、左右の固定部側フランジは、左右のサイドフレームフランジにボルトを介して固定されていることを特徴とする。
【００１３】
請求項５に記載のごとく、より好ましくは、左右のバルクヘッドサイドメンバは、左右の固定部側フランジの前面に対面する左右の縦壁部を有した部材であり、これらの左右の縦壁部には、正面視で左右の固定側フランジと左右のサイドフレームフランジが重なる部分に、ボルトによって締結するための左右の作業穴が設けられていることを特徴とする。
【００１４】
請求項６に記載のごとく、より好ましくは、前部ユニットと、左右のフロントサイドフレームと、左右のサイドフレームフランジと、固定部材とを準備する準備工程と、前部ユニットと左右のサイドフレームフランジとのいずれか一方の部材に対して、左右の固定部材を、ボルトによって仮止めするボルト仮止め工程と、前部ユニットと左右のサイドフレームフランジとのいずれか他方の部材に対して、左右の固定部材を、溶接する溶接工程と、仮止めしたボルトを外して、左右のサイドフレームフランジから前部ユニットを取り外す前部ユニット取り外し工程と、左右のフロントサイドフレームの前方から、これらの左右のフロントサイドフレーム間に部品を入れて組み付ける部品組み付け工程と、一方の部材に対して、固定部材をボルトによって再び取り付ける前部ユニット再取付工程とからなることを特徴とする。
【００１５】
請求項７に記載のごとく、より好ましくは、準備工程で準備する左右の固定部材は、左右のサイドフレームフランジに重ね合わされるプレートによって構成されており、準備工程で準備するフロントバルクヘッドは、車幅方向両端に位置して上下に延びる左右のバルクヘッドサイドメンバを有し、これらの左右のバルクヘッドサイドメンバから車幅方向外方へ延びる左右のバルクヘッドフランジが設けられており、ボルト仮止め工程は、左右のプレートを、左右のバルクヘッドフランジに重ねてボルトによって締結し、溶接工程は、左右のプレートを左右のサイドフレームフランジに溶接し、前部ユニット取り外し工程は、左右のバルクヘッドフランジを、左右のプレートから取り外し、前部ユニット再取付工程は、左右のバルクヘッドフランジを、左右のプレートに再び取り付けることを特徴とする。
【００１６】
請求項８に記載のごとく、より好ましくは、準備工程で準備する左右のバルクヘッドフランジには、背面に左右のプレートが重ならない非重ね部を有しており、溶接工程の次には、左右のバルクヘッドフランジのなかの、非重ね部の位置に、バンパビームをボルトによって締結するバンパ締結工程を有することを特徴とする。
【００１７】
請求項９に記載のごとく、より好ましくは、準備工程で準備する左右の固定部材は、車両前後方向に延びて、後端部に左右の固定部側フランジが設けられ、フロントバルクヘッドは、車幅方向両端に位置して上下に延びる左右のバルクヘッドサイドメンバを有しており、ボルト仮止め工程は、左右の固定部側フランジを、左右のサイドフレームフランジにボルトによって締結し、溶接工程は、左右の固定部材の車幅方向の側面部を左右のバルクヘッドサイドメンバの側面部に溶接し、前部ユニット取り外し工程は、左右の固定部側フランジを、左右のサイドフレームフランジから取り外し、前部ユニット再取付工程は、左右の固定部側フランジを、左右のサイドフレームフランジに再び取り付けることを特徴とする。
【発明の効果】
【００１８】
請求項１に係る発明では、左右のフロントサイドフレームの前端に設けられた左右のサイドフレームフランジと、少なくともフロントバルクヘッドを含む前部ユニットと、この前部ユニットを左右のサイドフレームフランジに固定するための左右の固定部材とを有する。左右の固定部材は、前部ユニットと左右のサイドフレームフランジとのいずれか一方に対してはボルトを介して固定されているとともに、いずれか他方に対しては溶接部を介して固定されているので、前部ユニットを左右のフロントサイドフレームに一旦組み付けて、組み付け精度を確保してから前部ユニットを外すことができる。このため、車体前部が開放された状態で、エンジン及び補機類をエンジンルームの前方から投入して組み付けるので、エンジンや車体の上下の移動が若干で済み、エンジン及び補機類の組み付けが容易になる。また、ボルトを外すだけで前部ユニットを取り外すことができるので、特別な製造設備が必要ない。このため、前部ユニットの組み付け精度を向上と、製造時間及び製造コストの低減化との両立を図ることができる。結果、前部二分割形式の車体前部構造において、簡単な構造で前部ユニットの組み付け精度を向上させるとともに、車体の生産性を高めることができる。
【００１９】
さらに、請求項１に係る発明では、左右の固定部材は、左右のサイドフレームフランジに重ね合わされるプレートによって構成され、フロントバルクヘッドには、左右のバルクヘッドサイドメンバから車幅方向外方へ延びる左右のバルクヘッドフランジが設けられる。左右のバルクヘッドフランジに左右のプレートがボルトを介して固定されており、左右のサイドフレームフランジに左右のプレートが溶接部を介して固定されている。左右のバルクヘッドフランジが、左右のバルクヘッドサイドメンバの車幅方向外方へ延びる構造であるので、前突時、衝突荷重によってフロントバルクヘッドが後退した際に、左右のプレート及び左右のバルクヘッドフランジが容易に曲がり、フロントバルクヘッドの後退を阻害しない。このため、簡単な構造による最小限の部材を用いて、良好な衝突性能を得ることができる。
【００２０】
請求項２に係る発明では、左右のバルクヘッドフランジは、左右のバルクヘッドサイドメンバに一体に成形されるので、部品の軽量化を図ることができる。また、左右のバルクヘッドサイドメンバは、左右のバルクヘッドフランジを含む全体を、平面視クランク状断面に成形され、左右のプレート及び左右のサイドフレームフランジは、クランク形状に対応するように、平面視でクランク状断面に形成され、左右のサイドフレームフランジ、左右のプレート及び左右のバルクヘッドフランジが重ねて締結されるので、十分な強度を得ることができる。
【００２１】
請求項３に係る発明では、左右のバルクヘッドフランジは、背面に左右のプレートが重ならない非重ね部を有し、左右のバルクヘッドフランジのなかの、非重ね部の位置には、バンパビームがボルトを介して固定されている。バンパビームは、左右のプレートを避けて左右のバルクヘッドフランジにのみ組み付けることができる。このため、左右のプレートを左右のバルクヘッドフランジに組み付けた後にバンパビームを組み付けても、その後に左右のバルクヘッドフランジを外すことで前部ユニットを取り外すことができ、無駄のない組立順序で効率良く部材を組み付けることができ、製造時間及び製造コストの低減を図ることができる。
【００２２】
請求項４に係る発明では、左右の固定部材は、車両前後方向に延びて、後端部に左右の固定部側フランジが設けられ、左右の固定部材の車幅方向の側面部は、左右のバルクヘッドサイドメンバの側面部に溶接部を介して固定されている。左右の固定部側フランジは、左右のサイドフレームフランジにボルトを介して固定されて組み付けられるので、従来からある組み付け方法とほとんど変わらない方法で組み付けを行うことができ、従来の生産設備を流用しやすい。また、左右の固定部材は、車両前後方向に延びているので、前突時に前後方向につぶれることで、左右の固定部材自体を緩衝部材として機能させることができる。また、左右の固定部材と左右のフロントサイドフレームの２部材の強度をそれぞれ調整することにより、前突時に受ける荷重の制御範囲を大きくすることができる。
【００２３】
また、左右の固定部材は、前部ユニットを左右のサイドフレームに一旦組み付けて、組み付け精度を確保してから、固定部側フランジのボルトを外すことで前部ユニットを取り外すことができる。このため、車体前部が開放された状態で、エンジン及び補機類をエンジンルームの前方から投入して組み付けるので、エンジンや車体の上下の移動が若干で済み、エンジン及び補機類の組み付けが容易になる。また、ボルトを外すだけで前部ユニットを取り外すことができるので、特別な製造設備が必要ない。結果、前部ユニットの組み付け精度を向上と、製造時間及び製造コストの低減化との両立を図ることができる。
【００２４】
請求項５に係る発明では、左右のバルクヘッドサイドメンバは、左右の固定部側フランジの前面に対面する左右の縦壁部を有した部材である。これらの左右の縦壁部には、正面視で左右の固定側フランジと左右のサイドフレームフランジが重なる部分に、左右の作業穴が設けられているので、左右の固定部側フランジを左右のサイドフレームフランジに、作業穴を介してボルト締結することができる。このため、組み付けの効率を向上させることができる。
【００２５】
請求項６に係る発明では、エンジン及び補機類を組み付ける前に、溶接工程によって前部ユニットを左右のフロントサイドフレームに溶接し、組み付け精度を確保するので、比較的簡単な方法によって、前部ユニットを左右のフロントサイドフレームに高い組み付け精度で組み付けることができる。また、前部ユニット取り外し工程の後の車体前部が開放された状態で、エンジン及び補機類をエンジンルームに組み付けるので、容易に組み付け作業を行うことができる。また、前部ユニット取り外し工程は、ボルトを外すだけなので、従来の製造設備を大きく変更することがなく対応することができる。また、単純な工程からなるので、効率よく作業を行うことができ、高い組み付け精度と、製造時間及び製造コストの低減化とを両立することができる。
【００２６】
請求項７に係る発明では、ボルト仮止め工程は、左右のプレートを、左右のバルクヘッドフランジに重ねてボルトによって締結し、溶接工程は、左右のプレートを左右のサイドフレームフランジに溶接する。左右のプレート、左右のバルクヘッドフランジ及び左右のサイドフレームフランジは板状の部材であるので、扱い易く、組み付け作業を容易にすることができる。このため、高い組み付け精度と、製造時間及び製造コストの低減とを両立することができる。
【００２７】
請求項８に係る発明では、準備工程で準備する左右のバルクヘッドフランジには、背面に左右のプレートが重ならない非重ね部を有ししており、溶接工程の次には、左右のバルクヘッドフランジのなかの、非重ね部の位置に、バンパビームをボルトによって締結するバンパ締結工程を有する。バンパビームは、左右のプレートを避けて左右のバルクヘッドフランジにのみ組み付けることができる。このため、左右のプレートを左右のバルクヘッドフランジに組み付けた後にバンパビームを組み付けても、その後に左右のバルクヘッドフランジを外すことで前部ユニットを取り外すことができ、無駄のない組立順序で効率良く部材を組み付けることができ、製造時間及び製造コストの低減を図ることができる。
【００２８】
請求項９に係る発明では、ボルト仮止め工程は、左右の固定部側フランジを、左右のサイドフレームフランジにボルトによって締結し、溶接工程は、左右の固定部材の車幅方向の側面部を左右のバルクヘッドサイドメンバの側面部に溶接する。左右の固定部側フランジは、左右のサイドフレームフランジにボルトにより締結することで組み付けられるので、従来からある組み付け方法とほとんど変わらない方法で組み付けを行うことができ、従来の生産設備を流用しやすく、製造コストの低減を図ることができる。また、左右の固定部側フランジ、左右のサイドフレームフランジは板状の部材であるので、扱い易く、組み付け作業を容易にすることができる。このため、高い組み付け精度と、製造時間及び製造コストの低減とを両立することができる。
【図面の簡単な説明】
【００２９】
【図１】実施例１に係る車体前部の斜視図である。
【図２】図１示された車体前部の分解斜視図である。
【図３】図２に示された左右のバルクヘッドフランジの斜視図である。
【図４】図１に示された左のフロントサイドフレームの上部斜視図である。
【図５】図１に示された左のバルクヘッドフランジ周りの斜視図である。
【図６】図５の６−６線断面図である。
【図７】図５の７−７線断面図である。
【図８】図２に示された車体前部の要部分解斜視図である。
【図９】図２に示された左のプレートを左のバルクヘッドフランジに取り付けた状態の後方からの斜視図である。
【図１０】図９に示された左のプレートを左のバルクヘッドフランジに取り付けた状態及び左のサイドフレームフランジの斜視図である。
【図１１】図２に示された車体前部左側の正面図である。
【図１２】準備工程及びボルト仮止め工程の説明図である。
【図１３】溶接工程及び前部ユニット取り外し工程の説明図である。
【図１４】部品組み付け工程及び前部ユニット再取付工程の説明図である。
【図１５】実施例２に係る車体前部の要部斜視図である。
【図１６】図１５の１６−１６線断面図である。
【図１７】図１５に示された車体前部の要部分解斜視図である。
【図１８】図１７に示された車体前部の準備工程から前部ユニット再取付工程までの説明図である。
【発明を実施するための形態】
【００３０】
本発明を実施するための形態を添付図に基づいて以下に説明する。なお、「前」、「後」、「左」、「右」、「上」、「下」は運転者から見た方向に従い、Ｆｒは前側、Ｒｒは後側、Ｌは左側、Ｒは右側、Ｕｐは上側、Ｄｗは下側、ＣＬは車体中心（車幅中心）を示す。
【実施例１】
【００３１】
先ず、実施例１に係る車両の車体前部について説明する。図１〜図４に示されるように、車両１０は例えば乗用車である。車体（車体フレーム）２０は前部構造が、車体前部の両側で車体前後に延びた左右のフロントサイドフレーム２１，２１と、これらのフロントサイドフレーム２１，２１の車幅方向外側で且つ上方で車体前後に延びた左右のアッパフレーム２２，２２と、フロントサイドフレーム２１，２１とアッパフレーム２２，２２との間に掛け渡した左右のフロントダンパハウジング２３，２３と、左右のフロントサイドフレーム２１，２１の前部並びに左右のアッパフレーム２２，２２の前部に配置されたフロントバルクヘッド３１とを主要構成としたモノコックボディである。
【００３２】
左右のフロントサイドフレーム２１，２１には、前端に左右のサイドフレームフランジ２４，２４が設けられている。左右のサイドフレームフランジ２４，２４は、前端を構成するサイドフレーム前端面２５，２５と、これらのサイドフレーム前端面２５，２５の内端から車両後方に延びているサイドフレーム前後面２６，２６と、これらのサイドフレーム前後面２６，２６の後端から車幅方向内側に延びているサイドフレーム奥面２７，２７とからなる。
【００３３】
フロントバルクヘッド３１は、左右のフロントサイドフレーム２１，２１の前部下方で車幅方向に延びているロアクロスメンバ３２と、このロアクロスメンバ３２の両端部から上方へ延びている左右のバルクヘッドサイドメンバ３３，３３と、これらの左右のバルクヘッドサイドメンバ３３，３３の上端に結合するべく車幅方向に延びているアッパクロスメンバ３４とを主要構成要素とする。このアッパクロスメンバ３４は、左右両端部から斜め後方へ左右の延長部３５，３５が延びている。
【００３４】
左右のアッパフレーム２２，２２の上部内側には、左右の延長部ステイ３６，３６が設けられている。アッパクロスメンバ３４は、左右の延長部３５，３５を介して、左右の延長部ステイ３６，３６にボルト３７，３７によって結合されている。
【００３５】
また、前部ユニット３０は、少なくともフロントバルクヘッド３１を含んでおり、車体前部は、前部ユニット３０を左右のサイドフレームフランジ２４，２４に固定するための固定部材５０を有する。
【００３６】
具体的には、固定部材５０は、左右のサイドフレームフランジ２４，２４に重ね合わされる左右のプレート５０によって構成されている。左右のプレート５０は、左右のサイドフレームフランジ２４，２４及び左右のバルクヘッドサイドメンバ３３，３３とは別体の部材である。
【００３７】
また、左右のバルクヘッドサイドメンバ３３，３３には、その高さ方向中間部から車幅方向外方へ延びる左右のバルクヘッドフランジ４１，４１が一体的に設けられている。これらの左右のバルクヘッドフランジ４１，４１に、車幅方向に延びるバンパビーム６１がボルト６２，６２によって締結される。なお、ボルト６２，６２の締結位置の詳細は後述する。
【００３８】
次にサイドフレームフランジ、プレート及びバルクヘッドフランジの仮止め時の位置関係について説明する。図５に示されるように、左のサイドフレームフランジ２４の前方に左のプレート５０が重ねられるように配置され、この左のプレート５０の前方に左のバルクヘッドフランジ４１が重ねられるように配置されている。左のサイドフレームフランジ２４に対しては、左のプレート５０は溶接されている。左のバルクヘッドフランジ４１に対しては、左のプレートはボルト６３，６３によって締結されている。
【００３９】
左のバルクヘッドフランジ４１は、左のバルクヘッドサイドメンバ３３の上部３３ａから車幅方向外側に略水平に延びる上辺部４２と、この上辺部４２の外端から下方に延びる側辺部４３と、この側辺部４３の下端から車幅方向内側へ下方に傾斜して延びる下辺部４４とを有する。
【００４０】
次に左のバルクヘッドサイドメンバの断面形状について説明する。図６に示されるように、左のバルクヘッドサイドメンバ３３の上部３３ａは、後部を形成するサイドメンバ奥壁３３ｃと、このサイドメンバ奥壁３３ｃの内端から前方に延びるサイドメンバ内縦壁３３ｄと、このサイドメンバ内縦壁３３ｄの前端から車幅方向外側に延びるサイドメンバ前壁３３ｅと、このサイドメンバ前壁３３ｅの外端から後方に延びるサイドメンバ外縦壁３３ｆと、このサイドメンバ外縦壁３３ｆの後端から車幅方区尾外側に延びるサイドメンバ中壁３３ｇとを有する。
【００４１】
このように左のバルクヘッドサイドメンバ３３の上部３３ａは、平面視にて複数の曲げ部分を有するクランク状断面に形成されているので、Ｌ字状断面やＵ字状断面に形成された部材よりも剛性を向上させることができる。結果、フロントバルクヘッド３１を、バルクヘッドフランジ４１を介して左のフロントサイドフレーム２１に固定することにより、前部ユニット３０を強固に支持することができる。
【００４２】
次に左のバルクヘッドフランジ、プレート及びサイドフレームフランジの断面形状について説明する。図６及び図７に示されるように、左のサイドフレームフランジ２４は、サイドフレーム前端面２５と、このサイドフレーム前端面２５の内端から後方に延びるサイドフレーム前後面２６と、このサイドフレーム前後面２６の後端から車幅方向内側に延びるサイドフレーム奥面２７とからなり、平面視でクランク状断面に形成されている。
【００４３】
また、左のプレート５０は、サイドフレーム前端面２５に重ねられるプレート前壁５１と、このプレート前壁５１の内端から後方に延びるプレート縦壁５２と、このプレート縦壁５２の後端から車幅方向内側に延びるとともにサイドフレーム奥面２７に重ねられるプレート奥壁５３とからなり、平面視でクランク状断面に形成されている。
【００４４】
また、左のバルクヘッドフランジ４１は、左のバルクヘッドサイドメンバ３３に一体に成形されている。左のバルクヘッドフランジ４１は、左のバルクヘッドサイドメンバ３３のサイドメンバ前壁３３ｅから連続するとともに車幅方向外側に延びる平面状に形成されている。
【００４５】
左のバルクヘッドサイドメンバ３３は、後部を形成するサイドメンバ奥壁３３ｃと、このサイドメンバ奥壁３３ｃの内端から前方に延びるサイドメンバ内縦壁３３ｄと、このサイドメンバ内縦壁３３ｄの前端から車幅方向外側に延びるサイドメンバ前壁３３ｅとを有し、左のバルクヘッドフランジ４１を含む全体を、平面視クランク状断面に形成されている。左のバルクヘッドサイドメンバ３３は、左のバルクヘッドフランジ４１を含む部分が、平面視クランク状断面に形成されているので、剛性を向上させることができる。
【００４６】
左のプレート５０及び左のサイドフレームフランジ２４は、左のバルクヘッドサイドメンバ３３及び左のバルクヘッドフランジ４１により形成されるクランク形状に対応するように、平面視でクランク状断面に形成されている。
【００４７】
左のバルクヘッドサイドメンバ３３の背面３３ｈと左のバルクヘッドフランジ４１の背面４５とは、左のプレート５０を介して左のサイドフレームフランジ２４に重ねられて、且つ連結されている。
【００４８】
次に左のバルクヘッドフランジに対する左のプレートの取付について説明する。図８に示されるように、車両１０の後方から、左のフロントサイドフレーム２１の左のサイドフレームフランジ２４、左のプレート５０、左のバルクヘッドサイドメンバ３３の左のバルクヘッドフランジ４１、バンパビーム６１の順に配置されている。
【００４９】
左のプレート５０は、左のバルクヘッドフランジ４１に対してはボルト６３によって締結される。これにより、左のプレート５０は、バルクヘッドフランジ４１に対して位置決めされる。
【００５０】
図９に示されるように、左のプレート５０は、車両後方からバルクヘッドフランジ４１の背面４５に重なるようにとりつけられている。このため、左のプレート５０をフロントバルクヘッド３１と一体に扱うことができる。
【００５１】
次に左のサイドフレームフランジに対する左のプレート５０の取付について説明する。図１０に示されるように、フロントバルクヘッド３１と一体になった左のプレート５０を、左のサイドフレームフランジ２４に当接するように移動させる。左のバルクヘッドフランジ４１に設けられた溶接用の穴４６，４６を介して、左のプレート５０を左の佐渡フレームフランジ２４に溶接する。なお、溶接用の穴４６に、左のプレート５０が位置するように設定されている。
【００５２】
次にボルト取付用の穴等について正面図に基づいて説明する。図１１に示されるように、左のバルクヘッドフランジ４１には、左のプレート５０をフロントバルクヘッド３１にボルト締結するため仮止め用の穴４７，４７と、左のプレート５０を左のサイドフレームフランジ２４（図１０参照）に溶接するための溶接用の穴４６，４６，４６と、バンパビーム６１をフロントバルクヘッド３１にボルト締結するための穴４８，４８と、バンパビーム６１、フロントバルクヘッド３１及び左のプレート５０を左のサイドフレームフランジ２４にボルト締結するための本止め用の穴４９，４９，４９，４９とが形成されている。
【００５３】
また、左のバルクヘッドフランジ４１には、背面に左のプレート５０が重ならない非重ね部４５ａを有している。左のバルクヘッドフランジ４１のなかの、非重ね部４５ａの穴４８に、バンパビーム６１をボルトによって締結する。
【００５４】
左のバルクヘッドフランジ４１、左のプレート５０、左のサイドフレームフランジ２４はともに板状の部材であり、容易に穴を加工することができ、加工コストを低減させることができる。
【００５５】
以上の述べた車体前部構造の組立方法を次に述べる。図１２に示されるように、バンパビーム６１、フロントバルクヘッド３１を含む前部ユニット３０と、左右のプレート５０，５０と、左右のサイドフレームフランジ２４，２４が設けられた左右のフロントサイドフレーム２１，２１とを準備する（準備工程）。
【００５６】
フロントバルクヘッド３１の左右のバルクヘッドフランジ４１，４１に対して、左右のプレート５０を重ねて、ボルト６３によって仮止めする（ボルト仮止め工程）。
【００５７】
図１３（ａ）に示されるように、フロントバルクヘッド３１及び左のプレート５０を、矢印ａのように左のサイドフレームフランジ２４に移動させ、左のサイドフレームフランジ２４に対して左のプレート５０を溶接する（溶接工程）。
【００５８】
左のバルクヘッドフランジ４１のなかの、非重ね部４５ａ（図１１参照）の位置に、バンパビーム６１（図１２参照）をボルトによって締結する（バンパ締結工程）。
【００５９】
図１３（ｂ）に示されるように、仮止めしたボルト６３，６３を外して、左のサイドフレームフランジ２４に溶接された左のプレート５０から、矢印ｂのようにフロントバルクヘッド３１（前部ユニット３０）を取り外す（前部ユニット取り外し工程）。
【００６０】
図１４（ａ）に示されるように、左右のフロントサイドフレーム２１，２１の前方から、これらの左右のフロントサイドフレーム２１，２１間のエンジンルーム７１にエンジン７２及び補機類等の部品を入れて組み付ける（部品組み付け工程）。
【００６１】
図１４（ｂ）に示されるように、フロントバルクヘッド３１（前部ユニット３０）を左右のフロントサイドフレーム２１，２１に移動させ、バルクヘッドフランジ４１，４１を、左右のプレート５０，５０にボルトによって再び取り付ける（前部ユニット再取付工程）。
【００６２】
なお、実施例では、左右のプレート５０を、左右のサイドフレームフランジ２４に溶接し、左右のバルクヘッドフランジにボルトによって締結したが、これに限定されず、左右のプレート５０を、左右のサイドフレームフランジ２４にボルトによって締結し、左右のバルクヘッドフランジに溶接しても差し支えない。
【００６３】
また、実施例では、左右の固定部材５０を左右のプレート５０としたが、これに限定されず、左右の固定部材５０を、前部ユニット３０と左右のサイドフレームフランジ２４とのいずれか一方の部材に対してボルトによって締結し、いずれか他方の部材に対して溶接できれば、ブラケットの他、加工が施された一般的な機械部品であっても差し支えない。
【００６４】
以上に述べた実施例１の車体前部構造をまとめて以下に記載する。
図２、図８〜図１０に示されるように、左右の固定部材５０は、前部ユニット３０と左右のサイドフレームフランジ２４とのいずれか一方に対してはボルトによって締結されるとともに、いずれか他方に対しては溶接されているので、前部ユニット３０を左右のフロントサイドフレーム２１に一旦組み付けて、組み付け精度を確保してから前部ユニット３０を外すことができる。このため、車体前部が開放された状態で、エンジン７２及び補機類をエンジンルーム７１の前方から投入して組み付けるので、エンジン７２や車体の上下の移動が若干で済み、エンジン７２及び補機類の組み付けが容易になる。また、ボルトを外すだけで前部ユニット３０を取り外すことができるので、特別な製造設備が必要ない。このため、前部ユニット３０の組み付け精度を向上と、製造時間及び製造コストの低減化との両立を図ることができる。結果、前部二分割形式の車体前部構造において、簡単な構造で前部ユニット３０の組み付け精度を向上させるとともに、車体の生産性を高めることができる。
【００６５】
図８〜図１０に示されるように、左右のバルクヘッドフランジ４１が、左右のバルクヘッドサイドメンバ３３の車幅方向外方へ延びる構造であるので、前突時、衝突荷重によってフロントバルクヘッド３１が後退した際に、左右のプレート５０及び左右のバルクヘッドフランジ４１が容易に曲がり、フロントバルクヘッド３１の後退を阻害しない。このため、簡単な構造による最小限の部材を用いて、良好な衝突性能を得ることができる。
【００６６】
図５〜図７に示されるように、左右のバルクヘッドフランジ４１は、左右のバルクヘッドサイドメンバ３３に一体に成形されるので、部品の軽量化を図ることができる。また、左右のバルクヘッドサイドメンバ３３は、左右のバルクヘッドフランジ４１を含む全体を、平面視クランク状断面に成形され、左右のプレート５０及び左右のサイドフレームフランジ２４は、クランク形状に対応するように、平面視でクランク状断面に形成され、左右のサイドフレームフランジ２４、左右のプレート５０及び左右のバルクヘッドフランジ４１が重ねて締結されるので、十分な強度を得ることができる。また、
【００６７】
図８〜図１１に示されるように、バンパビーム６１は、左右のプレート５０を避けて左右のバルクヘッドフランジ４１にのみ組み付けることができる。このため、左右のプレート５０を左右のバルクヘッドフランジ４１に組み付けた後にバンパビーム６１を組み付けても、その後に左右のバルクヘッドフランジ４１を外すことで前部ユニット３０を取り外すことができ、無駄のない組立順序で効率良く部材を組み付けることができ、製造時間及び製造コストの低減を図ることができる。
【００６８】
図１２〜図１４に示されるように、エンジン７２及び補機類を組み付ける前に、溶接工程によって前部ユニット３０を左右のフロントサイドフレーム２１に溶接し、組み付け精度を確保するので、比較的簡単な方法によって、前部ユニット３０を左右のフロントサイドフレーム２１に高い組み付け精度で組み付けることができる。また、前部ユニット取り外し工程の後の車体前部が開放された状態で、エンジン７２及び補機類をエンジンルーム７１に組み付けるので、容易に組み付け作業を行うことができる。また、前部ユニット取り外し工程は、ボルトを外すだけであるので、従来の製造設備を大きく変更することがなく対応することができる。また、単純な工程からなるので、効率よく作業を行うことができ、高い組み付け精度と、製造時間及び製造コストの低減化とを両立することができる。
【００６９】
図１２〜図１４に示されるように、左右のプレート５０、左右のバルクヘッドフランジ４１及び左右のサイドフレームフランジ２４は板状の部材であるので、扱い易く、組み付け作業を容易にすることができる。このため、高い組み付け精度と、製造時間及び製造コストの低減とを両立することができる。
【００７０】
図１２〜図１４に示されるように、バンパビーム６１は、左右のプレート５０を避けて左右のバルクヘッドフランジ４１にのみ組み付けることができる。このため、左右のプレート５０を左右のバルクヘッドフランジ４１に組み付けた後にバンパビーム６１を組み付けても、その後に左右のバルクヘッドフランジ４１を外すことで前部ユニット３０を取り外すことができ、無駄のない組立順序で効率良く部材を組み付けることができ、製造時間及び製造コストの低減を図ることができる。
【実施例２】
【００７１】
次に、本発明の実施例２を図面に基づいて説明する。なお、図５に示した構成と同一構成については同一符号を付け、詳細説明は省略する。
図１５〜図１７に示されるように、左のフロントサイドフレーム２１の前端部には、略平板状の左のサイドフレームフランジ２４が設けられている。
【００７２】
左の固定部材５０は、車両前後方向に延びた中空の部材であり、後端部に左の固定側フランジ５４が設けられている。なお、実施例では、固定部材５０は、板状の部材をプレスにより矩形断面状に成形したが、これに限定されず、角柱を切削加工により中空にしたもの、筒形状としたもの、中実とした機械部品であっても差し支えない。
【００７３】
左のバルクヘッドサイドメンバ３３は、断面視、左の固定部材５０に当接する左の側面部８１と、この左の側面部８１の前端から車幅方向内側に延びる左の縦壁部８２と、この左の縦壁部８２の内端から前方に延びる左の内壁部８３とを含む。左の縦壁部８２は、左の固定側フランジ５４の前面に対面しており、正面視で左の固定側フランジ５４と左のサイドフレームフランジが重なる部分に、左の作業穴８４が設けられている。
【００７４】
また、左のバルクヘッドサイドメンバ３３は、車幅方向の側面部８１に、上部支持部８５及び下部支持部８７が設けられている。上部支持部８５及び下部支持部８７は、車幅方向外側に延びる支持フランジ８６が形成されている。
【００７５】
左の固定部材５０の車幅方向の側面部は、左のバルクヘッドサイドメンバ３３の側面部８１に溶接されている。詳しくは、左の固定部材５０は、上部支持部８５及び下部支持部８７の支持フランジ８６に溶接されている。左の固定部材５０は、断面視矩形状であり、上面部５５ａ、側面部５５ｂ、下面部５５ｃ及び外面部５５ｄを含む。
【００７６】
側面部５５ｂは左のバルクヘッドサイドメンバ３３の側面部８１に当接し、上面部５５ａは上部支持部８５の支持フランジ８６に溶接され、下面部５５は下部支持部８７の支持フランジ８６に溶接されている。左の固定部材５０は、断面矩形状であるため、上面部５５ａ及び下面部５５ｃを有し、上下方向から支持することができ、側面部５５ｂを左のバルクヘッドサイドメンバ３３の側面部８１当接することで、車幅方向に位置決めも容易にできる。
【００７７】
左の固定部側フランジ５４は、サイドフレームフランジ２４に、ボルト６６により締結されている。作業穴８４があることで、正面視で、縦壁部８４の後方に位置する部分にも工具を入れることが容易にでき、作業性を向上させることができる。
【００７８】
以上の述べた実施例２の車体前部構造の組立方法を次に述べる。なお、実施例１の車体前部構造の組立方法と同一工程については、詳細説明は省略する。
図１８に示されるように、準備工程では、図１５〜図１７で説明した左右の固定部材５０及びフロントバルクヘッド３１を準備する。
【００７９】
ボルト仮止め工程は、左の固定部側フランジ５４を、左のサイドフレームフランジ２４にボルト６６によって締結する。溶接工程は、左の固定部材５０の車幅方向の側面部５５ｂを左のバルクヘッドサイドメンバ３３の側面部８１（図１６参照）に溶接する。前部ユニット取り外し工程は、左の固定部側フランジ５４を、左のサイドフレームフランジ２４から取り外す。前部ユニット再取付工程は、左の固定部側フランジ５４を、左のサイドフレームフランジ２４に再び取り付ける。
【００８０】
以上に述べた実施例２の車体前部構造をまとめて以下に記載する。
図１５〜図１８に示されるように、左右の固定部側フランジ５４は、左右のサイドフレームフランジ２４にボルトにより締結することで組み付けられるので、従来からある組み付け方法とほとんど変わらない方法で組み付けを行うことができ、従来の生産設備を流用しやすい。また、左右の固定部材５０は、車両前後方向に延びているので、前突時に前後方向につぶれることで、左右の固定部材５０自体を緩衝部材として機能させることができる。また、左右の固定部材５０と左右のフロントサイドフレーム２１の２部材の強度をそれぞれ調整することにより、前突時に受ける荷重の制御範囲を大きくすることができる。
【００８１】
図１５〜図１８に示されるように、これらの左右の縦壁部８２には、正面視で左右の固定側フランジ５４と左右のサイドフレームフランジ２４が重なる部分に、左右の作業穴８４が設けられているので、左右の固定部側フランジ５４を左右のサイドフレームフランジ２４に、作業穴８４を介してボルト締結することができる。このため、組み付けの効率を向上させることができる。
【００８２】
図１５〜図１８に示されるように、左右の固定部側フランジ５４は、左右のサイドフレームフランジ２４にボルトにより締結することで組み付けられるので、従来からある組み付け方法とほとんど変わらない方法で組み付けを行うことができ、従来の生産設備を流用しやすく、製造コストの低減を図ることができる。また、左右の固定部側フランジ５４、左右のサイドフレームフランジ２４は板状の部材であるので、扱い易く、組み付け作業を容易にすることができる。このため、高い組み付け精度と、製造時間及び製造コストの低減とを両立することができる。
【００８３】
尚、実施例においては、車両１０の左側の部品について説明したが、車両１０の右側であっても同様である。
【産業上の利用可能性】
【００８４】
本発明は、車体前部において、左右のフロントサイドフレームの前部にフロントバルクヘッドを取り付ける車体前部構造に好適である。
【符号の説明】
【００８５】
１０…車両、２０…車体（車体フレーム）、２１…左右のフロントサイドフレーム、２４…左右のサイドフレームフランジ、３０…前部ユニット、３１…フロントバルクヘッド、３３…左右のバルクヘッドサイドメンバ、３３ｈ…左右のバルクヘッドサイドメンバの背面、４１…左右のバルクヘッドフランジ、４５…左右のバルクヘッドフランジの背面、４５ａ…非重ね部、５０…左右の固定部材（プレート）、５４…左右の固定側フランジ、５５ｂ…左右の固定部材の側面部、６１…バンパビーム、６２、６３、６６…ボルト、８１…左右のブルクヘッドサイドメンバの側面部、８２…縦壁部、８４…作業穴。
【図１】
0005871872.tif 000002
【図２】
0005871872.tif 000003
【図３】
0005871872.tif 000004
【図４】
0005871872.tif 000005
【図５】
0005871872.tif 000006
【図６】
0005871872.tif 000007
【図７】
0005871872.tif 000008
【図８】
0005871872.tif 000009
【図９】
0005871872.tif 000010
【図１０】
0005871872.tif 000011
【図１１】
0005871872.tif 000012
【図１２】
0005871872.tif 000013
【図１３】
0005871872.tif 000014
【図１４】
0005871872.tif 000015
【図１５】
0005871872.tif 000016
【図１６】
0005871872.tif 000017
【図１７】
0005871872.tif 000018
【図１８】
0005871872.tif 000019